(57)【特許請求の範囲】
【請求項１】
略水平に設置された天井スラブと該天井スラブの下方に所定の間隔を隔てて配置され、その上面側に防湿フィルムが設けられ略水平に設置された天井板との間の空間に現場で天井断熱材を吹き込む場合に上記天井スラブの下面側に取り付けられる天井断熱材用通気スペーサであって、前記天井スラブと前記スペーサの上面との間に通気スペースを形成するための凹凸と、前記天井スラブの下面に直接接触する箇所の上方から見て略円形の前記凹凸の上面に、該天井スラブの下面と該凹凸の上面とを連結するための膨出部の水平部と、前記スペーサの下面側と上面側との間で空気の流通を許容する通気孔を有する合成樹脂板からなることを特徴とする天井断熱材用通気スペーサ。
【請求項２】
請求項１の天井断熱材用通気スペーサを天井スラブの下面側に取り付けた後、上記天井スラブと、該天井スラブの下方に所定の間隔を隔てて配置される天井板との間の空間に現場で天井断熱材を吹き込むことを特徴とする天井断熱材用通気スペーサを用いた天井断熱材の施工方法。
【発明の詳細な説明】
【０００１】
【発明の属する技術分野】
本発明は、天井断熱材用通気スペーサ及びそれを用いた天井断熱材の施工方法に関するものである。
【０００２】
【従来の技術】
従来、寒冷地等の住宅における天井断熱工事においては、ＡＬＣ(Autoclaved light weight concrete)版等からなる天井スラブと、その下方に所定の間隔を隔てて配置される石膏ボード等からなる天井板との間の空間に断熱材を出来るだけ隙間なく充填するために、断熱材を現場で上記隙間内に吹き込むことが行われている。
【０００３】
その場合、上記天井板の取付前に天井板の直上位置に防湿フィルムを略水平方向に張り渡し、現場で上記天井スラブと防湿フィルムとの間の空間にセルロースファイバー等からなる天井断熱材をブローイング装置で吹き込んだ後、防湿フィルムの下面に沿わせて天井板を取り付けるようにしている。
【０００４】
【発明が解決しようとする課題】
ところが、上記の天井断熱材の施工方法では、吹き込まれた天井断熱材が天井スラブに密着するため、天井スラブの下面側での通気性が悪くなり、天井断熱材に含まれる湿気が容易に屋外側へ排出されない問題があった。
【０００５】
そこで、上記天井断熱材の吹込み時に吹込み量を少な目に調整して、天井スラブと天井断熱材との間に通気用の隙間を残すことも考えられる。しかし、吹込み中には、天井スラブと天井断熱材との間にどの程度の隙間が残存しているかを目視で確認することはできないため、逆に吹込み量が過小となった場合は、天井スラブの下面側に隙間ができて断熱性が低下する等の不具合を回避できなかった。
【０００６】
【課題を解決するための手段】
本発明は前記の課題を解決するため、天井スラブと天井断熱材との間に必要最小限度の通気スペースを容易に確保できる天井断熱材用通気スペーサ及びそれを用いた天井断熱材の施工方法を提供することを目的とする。
【０００７】
そのため、本発明の請求項１の天井断熱材用通気スペーサは、略水平に設置された天井スラブと該天井スラブの下方に所定の間隔を隔てて配置され、その上面側に防湿フィルムが設けられ略水平に設置された天井板との間の空間に現場で天井断熱材を吹き込む場合に上記天井スラブの下面側に取り付けられる天井断熱材用通気スペーサであって、前記天井スラブと前記スペーサの上面との間に通気スペースを形成するための凹凸と、前記天井スラブの下面に直接接触する箇所の上方から見て略円形の前記凹凸の上面に、該天井スラブの下面と該凹凸の上面とを連結するための膨出部の水平部と、前記スペーサの下面側と上面側との間で空気の流通を許容する通気孔を有する合成樹脂板からなることを特徴とするものである。
【０００８】
請求項２の天井断熱材用通気スペーサを用いた天井断熱材の施工方法は、請求項１の天井断熱材用通気スペーサを天井スラブの下面側に取り付けた後、上記天井スラブと、該天井スラブの下方に所定の間隔を隔てて配置される天井板との間の空間に現場で天井断熱材を吹き込むことを特徴とするものである。
【０００９】
【発明の実施の形態】
以下、本発明の実施の形態を図面に基づいて説明する。図１乃至図３に示すように、本実施の形態の天井断熱材用通気スペーサ１（以下、通気スペーサ１という）は、例えば、上方から見て略矩形状の合成樹脂板からなる。上記通気スペーサ１には、上方から見て各々略円形をなすとともに各々基準平面部２から上向きに膨出した１対の大径の膨出部３と、各膨出部３の周囲に配置され、かつ上方から見て略円形をなす複数の小径の膨出部４とが形成されている。
【００１０】
また、各膨出部４の両側には、各々上方から見て略三角形状をなすとともに各々基準平面部２から下向きに凹入した１対の凹入部５が形成されている。更に、通気スペーサ１の周縁部に沿って基準平面部２から下向きに凹入した凹入部６が形成されている。上記膨出部３、４及び凹入部５、６は、通気スペーサ１の凹凸を形成する。
【００１１】
上記基準平面部２と各膨出部３、４との間には斜め上向きに傾斜した傾斜部が設けられるとともに、基準平面部２と各凹入部５、６との間は斜め下向きに傾斜した傾斜部が設けられている。更に、凹入部５、６には、これら凹入部５、６から斜め上向きに張り出す傾斜部７が形成され、各傾斜部７の上端には略円形の通気孔７ａが形成されている。
【００１２】
上記通気スペーサ１の大きさ及び材料となる合成樹脂の種類は、特に限定されないが、例えば、縦寸法Ｌを略１０００ｍｍ程度、横寸法Ｗを略５００ｍｍ程度、厚み寸法を略０．２５ｍｍ程度としたポリスチレン板を使用できる。ポリスチレン板を用いれば、通気スペーサ１を比較的安価に構成できる。
【００１３】
また、基準平面部２に対する各膨出部３、４の上向きの突出量を、例えば、略２５ｍｍ程度とすれば、通気スペーサ１を、以下の図４のＡＬＣ版３０の下面側に取り付けた状態で、通気スペーサ１とＡＬＣ版３０との間に十分な通気スペースを確保することができる。
【００１４】
通気孔７ａの大きさは、通気孔７ａの個数にもよるが、例えば、直径を略１０ｍｍ程度とすれば、通気スペーサ１の下面側と上面側との間で十分な通気性を確保することができる。なお、基準平面部２に対する各凹入部５、６の下向きの凹入量は、例えば、略５ｍｍ程度とすることができる。
【００１５】
次に、上記通気スペーサ１を組み込んだ鉄骨式の住宅の天井付近の構造を図４に示す。鋼製等の縦部材１０（縦柱）と横部材１１とを組み合わせてなる軸組１２の屋外側に外壁パネル１３が配置されるとともに、この軸組１２の屋内側に壁断熱材１４及び内壁パネル１５が順次配置されている。
【００１６】
軸組１２の上方には、Ｈ型鋼からなる梁１６が外壁パネル１３と略平行に配置され、また、この梁１６と略直交する方向にもＨ型鋼からなる梁１７が配置されている。図５及び図６に示すように、梁１７の下側のフランジ１７ａには複数の吊り金具１８（図５、図６には１つのみ図示）が係止され、この吊り金具１８からボルト２０及びナット２１を介して略コ字形断面の野縁受け２２が梁１７と略平行に延びるように吊り下げられている。
【００１７】
野縁受け２２には、所定の間隔で複数の野縁金具２３（図５には一つのみ図示）が取り付けられ、各野縁金具２３には野縁２４が取り付けられている。野縁２４は野縁受け２２と略直交する方向に延び、この野縁２４の下方に、石膏ボード等からなる天井板２５が取り付けられている。なお、天井板２５の上面側には、ポリエチレンフィルム等からなる防湿フィルム２６が貼られている。
【００１８】
図７にも示すように、梁１６、１７における上側のフランジ１６ｂ、１７ｂ上には、間隔保持材２７を介して通気プレート２８が配置され、該通気プレート２８上にＡＬＣ版３０（天井スラブ）の端部が載置されている。上記間隔保持材２７によって、フランジ１６ｂ、１７ｂとＡＬＣ版３０間に通気用のスペースＳ１が形成されている。
【００１９】
また、ＡＬＣ版３０より屋外側で、フランジ１６ｂ、１７ｂ上に鋼製等の縦部材３１と横部材３２とを組み合わせてなるパラペット軸組３３（図４参照）が配置されている。このパラペット軸組３３の屋外側にはパラペット用の外壁パネル３４が取り付けられるとともに、パラペット軸組３３の上端部には、略Ｌ字形断面の木製の下地材３５が取り付けられている。
【００２０】
下地材３５の上面には、金属製のパラペット笠木３６が取り付けられ、パラペット笠木３６は外壁パネル３４の上端部の表面付近まで延びている。また、下地材３５の屋内側からパラペット軸組３３の屋内側に渡って、パネル３７が配置されている。
【００２１】
ＡＬＣ版３０の上面には、勾配断熱材（３８）および耐火ボードの上から、また、下地材３５の上面からパネル３７の表面、仕上げコンクリート層３８の上面に渡って、防水層３９が設けられている。
【００２２】
ＡＬＣ版３０の下面側には、上記通気スペーサ１が配置され、ＡＬＣ版３０の下面に直接接触する膨出部３、４が金属製のステープル４１によってＡＬＣ版３０に取り付けられている。なお、天井の略全領域のＡＬＣ版３０の下面側が覆われるように、複数の通気スペーサ１が縦横に配列されて取り付けられている。そして、上記通気スペーサ１と防湿フィルム２６間の空間に、セルロースファイバーやロックウール等からなる天井断熱材４２が隙間なく充填されている。
【００２３】
上記構成によれば、通気スペーサ１の凹凸によって、ＡＬＣ版３０の下面と通気スペーサ１の上面との間に通気用のスペースＳ２が形成されるため、天井断熱材４２に含まれる湿気が通気スペーサ１の通気孔７ａを介して上記スペースＳ２に流れ込み、更に、ＡＬＣ版３０と梁１６、１７間の上記スペースＳ１を介してパラペット軸組３３内に流れ込む。
【００２４】
その後、図４に矢印Ａで示すように、パラペット軸組３３及びパラペット笠木３６内の隙間を通して屋外側へ排出される。このように、凹凸及び通気孔７ａを有する通気スペーサ１を用いることで、天井断熱材４２内の湿気等を容易に屋内側へ排出できる。また、後述する現場での天井断熱材４２の吹き込み時に、通気スペーサ１と防湿フィルム２６間に天井断熱材４２を最大容量まで吹き込めるので、天井部分で十分な断熱性を確保できる。
【００２５】
次に、通気スペーサ１を用いて現場で天井断熱材４２を吹き込む場合の施工方法を説明する。図８に示すように、ＡＬＣ版３０の下面側に通気スペーサ１を取り付け、かつ、野縁受け２２及び野縁２４を取り付けた後、天井板２５の施工前に、まず、野縁２４の下面側に防湿フィルム２６を張り渡す。
【００２６】
この際、防湿フィルム２６には、天井断熱材４２の吹き込み用の孔２６ａを形成しておく。そして、住宅に隣接して駐車させた図示しない運搬車輌における天井断熱材４２の収容タンクにその一端を接続したホース４３を室内に引き込み、ホース４３の他端を孔２６ａを介して防湿フィルム２６の上方へ突出させる。
【００２７】
この状態で、上記運搬車輌の収容タンクからホース４３を介して天井断熱材４２を防湿フィルム２６と通気スペーサ１との間の隙間に吹き込む。この場合、屋外側への通気経路は通気スペーサ１により確保されるので、天井断熱材４２は上記隙間を完全に満たす状態となるまで吹き込む。
【００２８】
天井断熱材４２の吹き込み完了後、防湿フィルム２６の孔２６ａを不図示の粘着テープ等で閉じ、天井断熱材４２が孔２６ａから下方へ漏れるのを防止する。その後、防湿フィルム２６の下面に沿って天井板２５を野縁２４に取り付ければよい。
【００２９】
【発明の効果】
以上説明したように、本発明の請求項１の天井断熱材用通気スペーサは、略水平に設置された天井スラブと該天井スラブの下方に所定の間隔を隔てて配置され、その上面側に防湿フィルムが設けられ略水平に設置された天井板との間の空間に現場で天井断熱材を吹き込む場合に上記天井スラブの下面側に取り付けられる天井断熱材用通気スペーサであって、前記天井スラブと前記スペーサの上面との間に通気スペースを形成するための凹凸と、前記天井スラブの下面に直接接触する箇所の上方から見て略円形の前記凹凸の上面に、該天井スラブの下面と該凹凸の上面とを連結するための膨出部の水平部と、前記スペーサの下面側と上面側との間で空気の流通を許容する通気孔を有する合成樹脂板からなるものであるから、本スペーサを取り付けた後に上記天井スラブと天井板間の空間に天井断熱材を吹き込むと、天井断熱材を上記空間内に隙間なく充填した状態で、上記凹凸によって天井スラブと本スペーサ間に通気スペースを確保できる。
【００３０】
これにより、天井断熱材に含まれる湿気が上記通気孔を介して上記通気スペースに移動し、更に該通気スペースを介して容易に屋外側へ排出されるようになる。また、天井断熱材を天井スラブと天井板との間の空間に隙間なく充填できるので、天井部分で十分な断熱性を確保することができる。なお、本通気スペーサは合成樹脂製であるので、製造コストも比較的安価である。
【００３１】
請求項２の天井断熱材用通気スペーサを用いた天井断熱材の施工方法は、請求項１の天井断熱材用通気スペーサを天井スラブの下面側に取り付けた後、上記天井スラブと、該天井スラブの下方に所定の間隔を隔てて配置される天井板との間の空間に現場で天井断熱材を吹き込むものであるから、上記空間内に天井断熱材を隙間なく充填した状態でも、上記通気スペーサの通気孔及び凹凸によって屋外側への通気経路を確保でき、天井断熱材等に含まれる湿気が屋外側へ容易に排出されるようになる。
【図面の簡単な説明】
【図１】本発明の実施の形態で使用する通気スペーサを示す斜視図。
【図２】上記通気スペーサを示す平面図。
【図３】上記通気スペーサを示す正面図。
【図４】上記通気スペーサを用いて天井断熱材の施工を行う住宅の天井部分周辺を示す概略断面図。
【図５】上記天井部分に配置される野縁等を示す概略断面図。
【図６】図５のVI-VI線に沿う概略断面図。
【図７】上記天井部分における梁及び通気プレート等を示す分解斜視図。
【図８】上記天井部分に断熱材を吹き込む様子を示す説明図。
【符号の説明】
１  通気スペーサ
３、４  膨出部（凹凸）
５、６  凹入部（凹凸）
２５  天井板
３０  ＡＬＣ版（天井スラブ）
【図１】
0003952442.tif 000002
【図２】
0003952442.tif 000003
【図３】
0003952442.tif 000004
【図４】
0003952442.tif 000005
【図５】
0003952442.tif 000006
【図６】
0003952442.tif 000007
【図７】
0003952442.tif 000008
【図８】
0003952442.tif 000009